【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
タンク部と該タンク部と連通するチューブと、該チューブ間に介在されるフィンを少なくとも具備する熱交換器において、
前記タンク部は、前記複数のチューブが挿入される装着壁部及び該装着壁部の一方の長手方向縁部から前記チューブの装着方向に延出する第１の壁部からなる第１のＬ形タンク部材と、
この第１のＬ形タンク部材の装着壁部の端部に接合する第１の壁部及び第１の壁部の一方の長手方向縁部から前記第１のＬ形タンク部材の第１の壁部に接合するように延出する第２の壁部から成る第２のＬ形タンク部材と、
前記第１及び第２のＬ形タンク部材の長手方向両端部に配される閉塞部材とによって構成され、
前記第１のＬ形タンク部材は、その一方の壁部に長手方向に沿って形成されると共に前記第２のＬ形タンク部材の一方の壁面の端部が挿着された嵌合溝を有し、
前記第２のＬ形タンク部材は、その一方の壁部に長手方向に沿って形成されると共に前期第１のＬ形タンク部材の一方の壁面の端部が挿着された嵌合溝を有し、
前記第１及び第２のＬ形タンク部材と前記閉塞部材とは別体で成形され、少なくとも前記第１及び第２のＬ形タンク部材、前記チューブ及び前記フィンが一体にろう付けされることを特徴とする熱交換器。
【請求項２】
前記閉塞部材は、前記第１のＬ形タンク部材及び前記第２のＬ形タンク部材の内周側面に沿った外周縁を有するプレート状であると共に、前記装着壁部側に突出する第１の位置決め用凸部及び前記第２のタンク部材側に突出する第２の位置決め用凸部を有し、前記第１の位置決め用凸部は前記第１のＬ形タンク部材の前記装着壁部の長手方向端部近傍の所定位置に形成された第１の位置決め用孔に挿入され、前記第２の位置決め用凸部は前記第２のＬ形タンク部材の長手方向端部近傍の所定の位置に形成された第２の位置決め用孔に挿入されることを特徴とする請求項１記載の熱交換器。
【請求項３】
熱交換媒体の出入口部は、前記第１のＬ形タンク部材の第１の壁部に形成されることを特徴とする請求項１、２記載の熱交換器。
【請求項４】
オイルクーラは、前記第２のＬ形タンク部材の第１の壁部に取付られることを特徴とする請求項１記載の熱交換器。
【請求項５】
前記第１のＬ形タンク部材の装着壁部は平板状であり、前記第１のＬ形タンク部材の断面は略Ｌ字形状であることを特徴とする請求項１記載の熱交換器。
【請求項６】
前記第１のＬ形タンク部材の装着壁部はチューブ側に突出する凸面状であり、前記第１のＬ形タンク部材の断面は変形されＪ字形状であることを特徴とする請求項１記載の熱交換器。
【請求項７】
前記第２のＬ形タンク部材の第２の壁部の端部に、前記第１のＬ形タンク部材の第１の壁部が当接する段部を長手方向に沿って形成されることを特徴とする請求項１記載の熱交換器。
【請求項８】
前記第２のＬ形タンク部材の第２の壁部の端部に、前記第１のＬ形タンク部材の第１の壁部の端部外側に当接する保持壁が長手方向に沿って形成されることを特徴とする請求項１記載の熱交換器。
【請求項９】
前記第１のＬ形タンク部材の嵌合溝側にカシメ用爪を設けたことを特徴とする請求項１記載の熱交換器。
【請求項１０】
前記第２のＬ形タンク部材の嵌合溝側にカシメ用爪を設けたことを特徴とする請求項１記載の熱交換器。
【請求項１１】
前記嵌合溝と、この嵌合溝内に嵌入される前記第１及び第２のＬ形タンク部材の第１の壁部とに、相互に係合する係止部が形成され、この係止部の係止によって、第１のＬ形タンク部材と前記第２のＬ形タンク部材がろう付け前に仮組み付されることを特徴とする請求項１記載の熱交換器。
【請求項１２】
前記係止部は、係止凸部と係止凸部に係止する係止凹部とより成ることを特徴とする請求項１１記載の熱交換器。
【請求項１３】
前記第２の位置決め用凸部の突出量は、前記第２のＬ形タンク部材の厚さよりも小さいことを特徴とする請求項２記載の熱交換器。
【請求項１４】
前記第２の位置決め用凸部の突出量は、前記第２のＬ形タンク部材の厚さよりも大きいことを特徴とする請求項２記載の熱交換器。
【請求項１５】
前記閉塞部材は、積層されたチューブ及びフィンの積層方向両端に配されるサイドプレートと一体に成形されることを特徴とする請求項１又は２記載の熱交換器。
【請求項１６】
前記サイドプレートと一体に成形された閉塞部材の端部に突出して形成された位置決め用凸部を有し、該位置決め用凸部は前記第２のＬ形タンク部材の第２の壁部に形成された位置決め用孔に挿入されることを特徴とする請求項１５記載の熱交換器。
【請求項１７】
前記第１のＬ形タンク部材の装着壁部の端部には、前記閉塞部材と一体に成形されたサイドプレートが装着される切り欠き部が形成されることを特徴とする請求項１５又は１６記載の熱交換器。
【請求項１８】
前記第２のＬ形タンク部材は、前記第１のＬ形タンク部材よりも所定幅長手方向に延出すると共に、この延出した部分に前記サイドプレートと一体に成形された閉塞部材の位置決め用凸部が挿入される位置決め用孔を形成することを特徴とする請求項１５又は１６記載の熱交換器。
【請求項１９】
前記第１のＬ形タンク部材の装着壁部の端部近傍には、前記サイドプレートと一体に成形された閉塞部材が挿通する挿通孔を形成することを特徴とする請求項１５又は１６記載の熱交換器。
【請求項２０】
前記閉塞部材を一体に成形したサイドプレートは、前記第１のＬ形タンク部材の装着壁部の長手方向端部を迂回するアーチ状の迂回部を有することを特徴とする請求項１５又は１６記載の熱交換器。
【請求項２１】
前記タンク部を構成する第１のＬ形タンク部材、第２のＬ形タンク部材及び閉塞部材は、タンク部内側に位置する面に犠牲腐食層を設けると共に、タンク部の外側にはろう材層を設けることを特徴とする請求項１乃至２０記載のいずれかに記載の熱交換器。
【手続補正２】
【補正対象書類名】明細書
【補正対象項目名】０００９
【補正方法】変更
【補正の内容】
【０００９】
【課題を解決するための手段】
よって、この発明に係る熱交換器は、タンク部と該タンク部と連通するチューブと、該チューブ間に介在されるフィンを少なくとも具備する構成において、前記タンク部は、前記複数のチューブが挿入される装着壁部及び該装着壁部の一方の長手方向縁部から前記チューブの装着方向に延出する第１の壁部からなる第１のＬ形タンク部材と、この第１のＬ形タンク部材の装着壁部の端部に接合する第１の壁部及び第１の壁部の一方の長手方向縁部から前記第１のＬ形タンク部材の第１の壁部に接合するように延出する第２の壁部から成る第２のＬ形タンク部材と、前記第１及び第２のＬ形タンク部材の長手方向両端部に配される閉塞部材とによって構成され、前記第１のＬ形タンク部材は、その一方の壁部に長手方向に沿って形成されると共に前記第２のＬ形タンク部材の一方の壁面の端部が挿着された嵌合溝を有し、前記第２のＬ形タンク部材は、その一方の壁部に長手方向に沿って形成されると共に前期第１のＬ形タンク部材の一方の壁面の端部が挿着された嵌合溝を有し、前記第１及び第２のＬ形タンク部材と前記閉塞部材とは別体で成形され、少なくとも前記第１及び第２のＬ形タンク部材、前記チューブ及び前記フィンが一体にろう付けされることを特徴としている。ここで、前記第１及び第２のＬ形タンク部材、前記チューブ、前記フィン、及び前記サイドプレートは、アルミニウム合金で成形されることが望ましい。また、第１のＬ形タンク部材及び第２のＬ形タンク部材は、断面Ｌ形又はＪ形にするとよい。


【手続補正３】
【補正対象書類名】明細書
【補正対象項目名】００１４
【補正方法】変更
【補正の内容】
【００１４】
しかも、第１のＬ形タンク部材の装着壁部にその短手方向端部で長手方向に沿って形成された嵌合溝を有し、この嵌合溝に前記第２のＬ形タンク部材の一方の壁部の端部が挿着されると共に、第２のＬ形タンク部材の一部の壁部で長手方向に沿って形成された嵌合溝を有し、この嵌合溝に第１のＬ形タンク部材の一方の壁部の端部が挿着されるようにしているので、第１のＬ形タンク部材及び第２のＬ形タンク部材がそれぞれの嵌合溝にてそれぞれの第１の壁部が挿入されて係止されることとなり、ろう付け前に仮組み付け時におけるタンク部をしっかりと組み付けることが可能となる。